(57)【要約】本発明はインタラクティブモードでのフォーカシング方法、その装置及び情報貯蔵媒体に関する。本発明により、マークアップ文書を使用してＡＶデータを再生するインタラクティブモードでのフォーカシング方法は、フォーカシング階層間の移動命令が入力されれば、フォーカシングされたエレメントが参照しているリソースのドメインを確認する段階と、確認結果、マークアップ文書ドメインのリソースではない場合、ユーザのフォーカシング移動命令を対応ドメインのコマンドに変換させてフォーカシングを移動させる段階とを含むことを特徴とする。これにより、インタラクティブモードでマークアップ画面に埋め込まれた他のドメインのオブジェクトをナビゲーションできる。
2005531975.tif 000002
【特許請求の範囲】
【請求項１】
ＡＶデータと、
前記ＡＶデータをインタラクティブモードで再生するためのマークアップ文書とを含み、
前記マークアップ文書は、フォーカシング階層構造を使用し、前記マークアップ文書のエレメントが参照している、前記マークアップ文書とドメインが異なるリソースをナビゲーションできるように製作されることを特徴とする情報貯蔵媒体。
【請求項２】
前記ＡＶデータは、ＤＶＤ−Ｖｉｄｅｏデータであり、
前記マークアップ文書は、フォーカシング階層構造を使用し、前記ＤＶＤ−Ｖｉｄｅｏデータをナビゲーションできるように製作されることを特徴とする請求項１に記載の情報貯蔵媒体。
【請求項３】
マークアップ文書を使用してＡＶデータを再生するインタラクティブモードでのフォーカシング方法において、
フォーカシング階層間の移動命令が入力されれば、フォーカシングされたエレメントが参照しているリソースのドメインを確認する段階と、
確認結果、マークアップ文書ドメインのリソースではない場合、ユーザのフォーカシング移動命令を対応ドメインのコマンドに変換させてフォーカシングを移動させる段階とを含むことを特徴とする方法。
【請求項４】
前記フォーカシングを最上位フォーカシング階層に移動させる命令が前記ユーザから入力される時、前記フォーカシング移動命令の変換を解除する段階をさらに含むことを特徴とする請求項３に記載の方法。
【請求項５】
前記フォーカシングを第二の下位フォーカシング階層に移動させる命令が前記ユーザから入力される時、前記第二の下位フォーカシング階層のドメインを識別する段階と、
前記ユーザから入力された前記フォーカシング移動命令を前記識別されたドメインに適した命令に変換することにより、前記フォーカシングを移動させる段階とをさらに含むことを特徴とする請求項３に記載の方法。
【請求項６】
マークアップ文書を使用してＡＶデータを再生するインタラクティブモードでのフォーカシング方法において、
最上位フォーカシング階層に属するマークアップ文書エレメントのうちいずれか一つにフォーカシングする段階と、
最初の下位フォーカシング階層への移動命令が入力されればフォーカシングされたエレメントが参照しているリソースのドメインを確認する段階と、
確認結果、マークアップ文書ドメインのリソースではない場合、ユーザのフォーカシング移動命令を対応ドメインのコマンドに変換させてフォーカシングを移動させる段階とを含むことを特徴とする方法。
【請求項７】
前記最上位フォーカシング階層への移動命令が入力されれば、前記フォーカシング移動命令を対応ドメインのコマンドへの変換を解除する段階をさらに含むことを特徴とする請求項６に記載の方法。
【請求項８】
二番目の下位フォーカシング階層への移動命令が入力されれば、前記二番目の下位フォーカシング階層のドメインを確認する段階と、
ユーザのフォーカシング移動命令を確認されたドメインのコマンドに変換させてフォーカシングを移動させる段階とを含むことを特徴とする請求項６に記載の方法。
【請求項９】
マークアップ文書を使用してＤＶＤ−Ｖｉｄｅｏデータを再生するインタラクティブモードでのフォーカシング階層構造によるフォーカシング方法において、
“ＯＢＪＥＣＴ”エレメントにフォーカシングする段階と、
ユーザから下位フォーカシング階層への移動命令が入力されれば、前記“ＯＢＪＥＣＴ”エレメントが参照しているリソースを確認する段階と、
確認されたリソースが前記ＤＶＤ−Ｖｉｄｅｏデータである場合、ユーザからのフォーカシング移動命令を前記ＤＶＤ−Ｖｉｄｅｏデータに定義されたハイライトを移動させるコマンドに変換させて対応ハイライトを移動させる段階とを含むことを特徴とする方法。
【請求項１０】
前記ハイライトを移動させる段階は、
ユーザからのフォーカシング移動命令によってメニュー画面のハイライトを移動させる段階を含むことを特徴とする請求項９に記載の方法。
【請求項１１】
マークアップ文書を使用してＡＶデータをインタラクティブモードで再生する装置において、
前記ＡＶデータをデコーディングするＡＶデコーダと、
前記マークアップ文書を解釈するプレゼンテーションエンジンと、
解釈されたマークアップ文書とデコーディングされたＡＶデータとをブレンドするブレンダとを備え、
前記プレゼンテーションエンジンは、ユーザからフォーカシング階層間の移動命令が入力されれば、フォーカシングされたエレメントが参照しているリソースのドメインを確認し、マークアップ文書ドメインでない場合、ユーザのフォーカシング移動命令を対応ドメインのコマンドに変換させてフォーカシングを移動させることを特徴とする装置。
【請求項１２】
マークアップ文書を使用してＡＶデータをインタラクティブモードで再生する装置において、
前記ＡＶデータをデコーディングするＡＶデコーダと、
前記マークアップ文書を解釈するプレゼンテーションエンジンと、
解釈されたマークアップ文書とデコーディングされたＡＶデータとをブレンドするブレンダとを備え、
前記プレゼンテーションエンジンは、
ユーザ入力装置から同じフォーカシング階層でのフォーカシングの移動や他のフォーカシング階層への移動に関する命令を受信する受信部と、
フォーカシング階層情報を提供するフォーカシング階層情報管理部と、
現在フォーカシングされている階層でフォーカシング可能なエレメントを示し、前記ユーザ入力装置からのフォーカシングに関する命令を選択されたドメインに対応するＡＰＩコマンドに変換し、前記フォーカシング階層情報管理部からフォーカシング階層に関連した情報を提供されてフォーカシングを移動させ、所定エレメントがフォーカスオンになった状態で前記ユーザ入力装置から実行命令が入力されれば、対応エレメントに一定の動作を実行させるフォーカシング管理部と、
前記フォーカシング管理部による動作実行の結果によるインタラクティブコンテンツを前記ブレンダに出力する出力部とを備えることを特徴とする装置。
【請求項１３】
前記フォーカシング管理部は、選択されたドメインがＤＶＤ−Ｖｉｄｅｏである場合、前記ユーザ入力装置からのフォーカシング移動命令を対応するハイライトを移動させるためのコマンドに変換させて実行させることを特徴とする請求項１２に記載の装置。
【請求項１４】
前記フォーカシング管理部は、ＤＶＤ−Ｖｉｄｅｏのメニュー画面に所定メニューアイテムがハイライトされた状態でユーザから実行命令が入力されれば、ＤＶＤ−Ｖｉｄｅｏに定義された対応コマンドに変換させて対応動作を実行させることを特徴とする請求項１３に記載の装置。
【請求項１５】
マークアップ文書を使用してＤＶＤ−Ｖｉｄｅｏデータをインタラクティブモードで再生する装置において、
前記ＤＶＤ−ＶｉｄｅｏデータをデコーディングするＡＶデコーダと、
前記マークアップ文書を解釈するプレゼンテーションエンジンと、
解釈されたマークアップ文書とデコーディングされたＤＶＤ−Ｖｉｄｅｏデータとをブレンドするブレンダとを備え、
前記プレゼンテーションエンジンは、“ＯＢＪＥＣＴ”エレメントにフォーカシングし、ユーザから下位フォーカシング階層への移動命令が入力されれば、前記“ＯＢＪＥＣＴ”エレメントが参照しているリソースを確認し、確認されたリソースが前記ＤＶＤ−Ｖｉｄｅｏデータである場合、ユーザからのフォーカシング移動命令を前記ＤＶＤ−Ｖｉｄｅｏデータに定義されたハイライトを移動させるコマンドに変換させて対応ハイライトを移動させることを特徴とする装置。
【請求項１６】
前記リソースは、ＤＶＤ−ｖｉｄｅｏであることを特徴とする請求項１に記載の情報貯蔵媒体。
【請求項１７】
前記ＤＶＤ−ｖｉｄｅｏのメニュースクリーンは、
ユーザにより選択されたメニューアイテム及び行われるコマンドをハイライトするために使われるカラーパレットを有するハイライトされた情報と、
サブピクチャと、
ビデオとを含むことを特徴とする請求項１６に記載の情報貯蔵媒体。
【請求項１８】
ハイライトされたメニューアイテムは、前記サブピクチャによりハイライトされていないメニューアイテムのカラーと異なるカラーにより表現されることを特徴とする請求項１７に記載の情報貯蔵媒体。
【請求項１９】
前記命令の変換及び解除は、アプリケーションプログラムインターフェースにより行われることを特徴とする請求項４に記載のフォーカシング方法。
【請求項２０】
各エレメントは、タブインデックス属性を含み、
同じタブインデックス属性を有するエレメントは先入り先サービス（ｆｉｒｓｔ−ｃｏｍｅ−ｆｉｒｓｔ−ｓｅｒｖｅｄ）基盤の下にナビゲートされ、
エレメントのナビゲーションは、前記プレゼンテーションエンジンの構造に基づくことを特徴とする請求項１２に記載の装置。
【請求項２１】
インタラクティブモードでマークアップスクリーンに埋め込まれ、マークアップ文書ドメインではない他のドメインに属するオブジェクトをナビゲートするためのフォーカシング移動方法において、
ユーザ入力装置を利用してフォーカシングを移動させることにより、前記マークアップスクリーン及び前記マークアップスクリーンに埋め込まれたオブジェクトに含まれたエレメントをナビゲートする段階を含むことを特徴とするフォーカシング移動方法。
【発明の詳細な説明】
【技術分野】
【０００１】
本発明は、情報貯蔵媒体に記録されたコンテンツをインタラクティブモードで再生する方法及びその装置に関する。
【背景技術】
【０００２】
ＰＣ（パーソナルコンピュータ）を基盤にＡＶデータをインタラクティブモードで再生できるＤＶＤ（以下、「インタラクティブＤＶＤ」とする）が販売されている。インタラクティブＤＶＤには、従来ＤＶＤ−Ｖｉｄｅｏ規格によってＡＶデータが記録されている一方、インタラクティブ機能を支援するためのマークアップ文書がさらに記録されている。インタラクティブ−ＤＶＤに記録されたＡＶデータは２種類の方法でディスプレイされうる。一つは、一般のＤＶＤ−Ｖｉｄｅｏと同じ方式でディスプレイされるビデオモードであり、もの一つは、ＡＶデータが再生されて表示されるＡＶ画面がマークアップ文書に定義された表示窓に埋め込まれてマークアップ文書と共にディスプレイされるインタラクティブモードである。例えば、ＡＶデータが映画タイトルである場合、表示窓には映画が上映され、ディスプレイ画面の残りの部分には映画の台本、あらすじ、出演俳優の写真など多様な付加情報が表示されうる。付加情報は、タイトル（ＡＶデータ）と同期されて表示されることもある。例えば、特定出演俳優が登場し始める時、その俳優についての履歴情報が込められたマークアップ文書が呼び出されて表示される場合を挙げられる。
【０００３】
マークアップ文書の特定エレメントは、開始タグ、内容及び終了タグより構成される。特定エレメントに与えられている動作は、該当エレメントがユーザにより選択された状態で、またユーザの実行命令を受け入れる方式により行われる。ユーザにより選択された状態は、フォーカスを受けた状態、すなわち“ｆｏｃｕｓ  ｏｎ”状態という。
【０００４】
フォーカスを与える方法には次のようなものがある。
１．マウス、ジョイスティックのようなポインティングディバイスで該当エレメントをフォーカスオン状態に設定する。
２．各エレメントに既定の選択順序を割り当て、キーボードのような入力ディバイスを使用し、該当エレメントから他のエレメントに順次にフォーカスオン状態に設定できる。マークアップ文書製作者は、フォーカスオンされる順序を“ｔａｂｂｉｎｇ  ｏｒｄｅｒ”を使用して定めることができる。ユーザは、キーボードのｔａｂキーを使用し、それらエレメントを順次にフォーカスできる。
３．該当エレメントを直接フォーカスオン状態に変えることができるように、アクセスキー値を割り当て、割り当てられたアクセスキー値をユーザ入力装置から入力されて対応エレメントをフォーカスオン状態に設定する。
【０００５】
図１Ａ及び図１Ｂは、インタラクティブモードでディスプレイされる画面の概略図である。図１Ａ及び図１Ｂを参照するに、インタラクティブモードでは、ＡＶデータが再生されて得られたＡＶ画面がマークアップ文書が解釈されて得られたマークアップ画面に埋め込まれてディスプレイされる。図１Ａは、ＡＶ画面（ａ）がフォーカスオンになった状態を示し、図１Ｂは、リンク１（ｂ）がフォーカスオンになった状態を示している。
【０００６】
しかし、従来方式によれば、インタラクティブモードで見られる画面のうちフォーカシング方式によりナビゲーションが可能な対象は、マークアップ文書のエレメントに限られる。すなわち、従来インタラクティブモードでは、“ＯＢＪＥＣＴ”タグを使用した特定エレメントを介してマークアップ画面に埋め込まれた他のドメインのオブジェクト（例：ＤＶＤ−Ｖｉｄｅｏ）は、マークアップ文書のようなフォーカシング方式により制御できないという問題点がある。
【０００７】
さらに、インタラクティブモードの場合、ユーザがナビゲーションできる２つの大きなドメインとして、マークアップ文書とＤＶＤ−Ｖｉｄｅｏとを想定できる。それら２ドメインは、ナビゲーション方式が相異なるために、ナビゲーションキーがそれぞれ存在することが望ましいが、リモートコントローラのようなキーの個数が制限されたユーザ入力装置を使用する家庭用機器では、ナビゲーションキーをそれぞれ備えるのが効率的ではないという問題点がある。
【発明の開示】
【発明が解決しようとする課題】
【０００８】
従って、本発明の目的は、インタラクティブモードでマークアップ画面に埋め込まれた他のドメインのオブジェクトをナビゲーションできるように記録された情報貯蔵媒体を提供することである。
【０００９】
本発明の他の目的は、制限されたユーザ入力装置によりインタラクティブモードでマークアップ画面だけでなく、マークアップ画面に埋め込まれた他のドメインのオブジェクトをナビゲーションできる方法及び装置を提供することである。
【００１０】
本発明のさらに他の目的は、制限されたユーザ入力装置によりインタラクティブモードでマークアップ画面だけでなく、マークアップ画面に埋め込まれた他のドメインのオブジェクト内部エレメントについてもフォーカシングを移動させてナビゲーションが可能なように記録された情報貯蔵媒体を提供することである。
【００１１】
本発明のさらに他の目的は、制限されたユーザ入力装置によりインタラクティブモードでマークアップ画面に埋め込まれた他のドメインのオブジェクト内部エレメントについてもフォーカシングを移動させてナビゲーションできる方法及び装置を提供することである。
【課題を解決するための手段】
【００１２】
前記目的は本発明により、ＡＶデータと、前記ＡＶデータをインタラクティブモードで再生するためのマークアップ文書とを含み、前記マークアップ文書は、フォーカシング階層構造を使用して前記マークアップ文書のエレメントが参照している、前記マークアップ文書とドメインが異なるリソースをナビゲーションできるように製作されることを特徴とする情報貯蔵媒体により達成される。
【００１３】
前記ＡＶデータは、ＤＶＤ−Ｖｉｄｅｏデータであり、前記マークアップ文書は、フォーカシング階層構造を使用し、前記ＤＶＤ−Ｖｉｄｅｏデータをナビゲーションできるように製作されることが望ましい。
【００１４】
一方、本発明の他の分野によれば、前記目的は、マークアップ文書を使用してＡＶデータを再生するインタラクティブモードでのフォーカシング方法において、フォーカシング階層間の移動命令が入力されれば、フォーカシングされたエレメントが参照しているリソースのドメインを確認する段階と、確認結果、マークアップ文書ドメインのリソースではない場合、ユーザのフォーカシング移動命令を対応ドメインのコマンドに変換させてフォーカシングを移動させる段階とを含むことを特徴とする方法によっても達成される。
【００１５】
また、前記目的は、マークアップ文書を使用してＡＶデータを再生するインタラクティブモードでのフォーカシング方法において、最上位フォーカシング階層に属するマークアップ文書エレメントのうちいずれか一つにフォーカシングする段階と、最初の下位フォーカシング階層への移動命令が入力されれば、フォーカシングされたエレメントが参照しているリソースのドメインを確認する段階と、確認結果、マークアップ文書ドメインのリソースではない場合、ユーザのフォーカシング移動命令を対応ドメインのコマンドに変換させてフォーカシングを移動させる段階とを含むことを特徴とする方法によっても達成される。
【００１６】
前記方法は、前記最上位フォーカシング階層への移動命令が入力されれば、前記行われたコマンド変換を解除する段階を含むことが望ましい。
【００１７】
また、前記方法は、二番目の下位フォーカシング階層への移動命令が入力されれば、前記二番目の下位フォーカシング階層のドメインを確認する段階と、ユーザのフォーカシング移動命令を確認されたドメインのコマンドに変換させてフォーカシングを移動させる段階とをさらに含むことが望ましい。
【００１８】
また、前記目的は、マークアップ文書を使用してＤＶＤ−Ｖｉｄｅｏデータを再生するインタラクティブモードでフォーカシング階層構造によるフォーカシング方法において、“ＯＢＪＥＣＴ”エレメントにフォーカシングする段階と、ユーザから下位フォーカシング階層への移動命令が入力されれば、前記“ＯＢＪＥＣＴ”エレメントが参照しているリソースを確認する段階と、確認されたリソースが前記ＤＶＤ−Ｖｉｄｅｏデータである場合、ユーザからのフォーカシング移動命令を前記ＤＶＤ−Ｖｉｄｅｏデータに定義されたハイライトを移動させるコマンドに変換させて対応ハイライトを移動させる段階とを含むことを特徴とする方法によっても達成される。
【００１９】
前記ハイライト移動段階は、ユーザからのフォーカシング移動命令によってメニュー画面のハイライトを移動させる段階を含むことが望ましい。
【００２０】
一方、本発明の他の分野によれば、前記目的は、マークアップ文書を使用してＡＶデータをインタラクティブモードで再生する装置において、前記ＡＶデータをデコーディングするＡＶデコーダと、前記マークアップ文書を解釈するプレゼンテーションエンジンと、解釈されたマークアップ文書とデコーディングされたＡＶデータとをブレンドするブレンダとを備え、前記プレゼンテーションエンジンは、ユーザからフォーカシング階層間の移動命令が入力されれば、フォーカシングされたエレメントが参照しているリソースのドメインを確認し、マークアップ文書ドメインではない場合、ユーザのフォーカシング移動命令を対応ドメインのコマンドに変換させてフォーカシングを移動させることを特徴とする装置によっても達成される。
【００２１】
また、前記目的は、マークアップ文書を使用してＡＶデータをインタラクティブモードで再生する装置において、前記ＡＶデータをデコーディングするＡＶデコーダと、前記マークアップ文書を解釈するプレゼンテーションエンジンと、解釈されたマークアップ文書とデコーディングされたＡＶデータとをブレンドするブレンダとを備え、前記プレゼンテーションエンジンは、ユーザ入力装置から同じフォーカシング階層でのフォーカシングの移動や他のフォーカシング階層への移動に関する命令を受信する受信部と、フォーカシング階層情報を提供するフォーカシング階層情報管理部と、現在フォーカシングされている階層でフォーカシング可能なエレメントを示し、前記ユーザ入力装置からのフォーカシングに関する命令を選択されたドメインに対応するＡＰＩ（アプリケーションプログラムインターフェース）コマンドに変換し、前記フォーカシング階層情報管理部からフォーカシング階層に関連した情報を提供されてフォーカシングを移動させ、所定エレメントがフォーカスオンになった状態で前記ユーザ入力装置から実行命令が入力されれば、対応エレメントに一定の動作を実行させるフォーカシング管理部と、前記フォーカシング管理部による動作実行の結果によるインタラクティブコンテンツを前記ブレンダに出力する出力部とを備えることを特徴とする装置によっても達成される。
【００２２】
前記フォーカシング管理部は、選択されたドメインがＤＶＤ−Ｖｉｄｅｏの場合、前記ユーザ入力装置からのフォーカシング移動命令を対応するハイライトを移動させるためのコマンドに変換させて実行させることが望ましい。
【００２３】
前記フォーカシング管理部は、ＤＶＤ−Ｖｉｄｅｏのメニュー画面に所定メニューアイテムがハイライトされた状態でユーザから実行命令が入力されれば、ＤＶＤ−Ｖｉｄｅｏに定義された対応コマンドに変換させて対応動作を実行させることが効果的である。
【００２４】
また、前記目的は、マークアップ文書を使用してＤＶＤ−Ｖｉｄｅｏデータをインタラクティブモードで再生する装置において、前記ＤＶＤ−ＶｉｄｅｏデータをデコーディングするＡＶデコーダと、前記マークアップ文書を解釈するプレゼンテーションエンジンと、解釈されたマークアップ文書とデコーディングされたＤＶＤ−Ｖｉｄｅｏデータとをブレンドするブレンダとを備え、前記プレゼンテーションエンジンは、“ＯＢＪＥＣＴ”エレメントにフォーカシングし、ユーザから下位フォーカシング階層への移動命令が入力されれば、前記“ＯＢＪＥＣＴ”エレメントが参照しているリソースを確認し、確認されたリソースが前記ＤＶＤ−Ｖｉｄｅｏデータである場合、ユーザからのフォーカシング移動命令を前記ＤＶＤ−Ｖｉｄｅｏデータに定義されたハイライトを移動させるコマンドに変換させて対応ハイライトを移動させることを特徴とする装置によっても達成される。
【発明を実施するための最良の形態】
【００２５】
以下、添付された図面を参照して本発明の望ましい実施例を詳細に説明する。以下で「インタラクティブコンテンツ」は、インタラクティブモードでユーザに見られたり見られることができるコンテンツを網羅する意味に使われる。すなわち、インタラクティブコンテンツは、ＡＶデータはもとより、マークアップ文書及び前記マークアップ文書にリンクされたファイルなどによって見られるコンテンツを含む。インタラクティブコンテンツは、マークアップ文書で記録されうる。「マークアップ文書」は、ＸＭＬ、ＨＴＭＬなどマークアップ言語で作成された文書であり、Ａ．ｘｍｌのような文書はもとより、Ａ．ｘｍｌに挿入されるＡ．ｐｎｇ、Ａ．ｊｐｇ、Ａ．ｍｐｅｇなどを含むマークアップリソースを意味する。従って、本明細書でマークアップ文書は、ＡＶデータをインタラクティブモードで再生するために必要なアプリケーションの役割と共に、ＡＶデータと共に見られるインタラクティブコンテンツを提供する役割を行う。
【００２６】
図２は、本発明の望ましい実施形態による再生システムの概要図である。図２を参照するに、再生システムは、本実施形態によるコンテンツ貯蔵媒体であるＤＶＤ  ３００、再生装置２００、本実施形態によるディスプレイ装置としてのＴＶ  １００、ユーザ入力装置としてのリモートコントローラ４００を含む。リモートコントローラ４００は、ユーザの制御命令を受信して再生装置２００に伝達する。再生装置２００は、ＤＶＤ  ３００に記録されたデータが読まれるためのＤＶＤドライブが設けられている。ＤＶＤドライブにＤＶＤ  ３００がロードされてユーザがインタラクティブモードを選択すれば、再生装置２００は、対応マークアップ文書を使用し、該当ＡＶデータをインタラクティブモードで再生してＴＶ  １００に伝達する。ＴＶ  １００には、再生されたＡＶデータによるＡＶ画面がマークアップ文書から得られたマークアップ画面に埋め込まれて共に表示される。「インタラクティブモード」は、ＡＶデータをマークアップ文書に定義された表示窓にディスプレイさせるように再生する方式、すなわちマークアップ画面にＡＶ画面が埋め込まれるようにディスプレイする方式をいう。ここで、ＡＶ画面は、ＡＶデータを再生してディスプレイ装置に表示される画面を指し、マークアップ画面は、マークアップ文書が解釈されてディスプレイ装置に表示される画面を指す。インタラクティブモードで見られる画面は、インタラクティブ画面と呼ぶ。インタラクティブ画面には、ＡＶ画面とマークアップ画面とが存在する。一方、「ビデオモード」は、ＡＶデータを従来ＤＶＤ−Ｖｉｄｅｏに定義されたところによって再生する方式、すなわち該当ＡＶデータを再生して得られたＡＶ画面だけをディスプレイする方式をいう。本実施形態で再生装置２００は、インタラクティブモードとビデオモードといずれも支援する。さらに、再生装置２００は、インターネットなどネットワークに接続されてデータを送受信できる。
【００２７】
図３は、本発明の望ましい実施形態による再生装置２００のブロック図である。図３を参照するに、再生装置は、プレゼンテーションエンジン５、ＡＶデコーダ４、及びブレンダ７を含む。プレゼンテーションエンジン５は、インタラクティブモードでコンテンツ貯蔵媒体、すなわちＤＶＤ  ３００に記録されたＡＶデータをインタラクティブモードで再生するために、マークアップ文書を解釈する。また、マークアップ文書で記録されたインタラクティブコンテンツを再生するために必要なアプリケーションを内蔵したり呼び出しすることが可能である。例えば、ウィンドーズのメディアプレイヤー用ＡＶデータを再生するために、ウィンドーズのメディアプレイヤーを呼び出しできる。また、プレゼンテーションエンジン５は、ネットワークに接続してマークアップ文書またはインタラクティブコンテンツを持ち込むことができる。さらに、プレゼンテーションエンジン５は、本発明によってユーザ入力装置４００からのユーザ命令を基にフォーカシングを移動させたりフォーカスオンになったエレメントを実行させられる。本発明によってフォーカシングは、階層構造を基に移動する。詳細な説明は後述する。
【００２８】
本実施形態でユーザ入力装置４００には、下位階層から上位階層にフォーカシングを移動させるキー（例えば、「リターンキー」）、上位階層から下位階層にフォーカシングを移動させるキー（例えば、「エンターキー」）、同じ階層で水平的にフォーカシングを移動させるキー（例えば、「方向キー」）が設けられている。それらのキーは、ナビゲーションキーと呼ぶ。
【００２９】
相異なるドメインへのフォーカシング移動がある時、プレゼンテーションエンジン５は、ユーザの命令を対応ドメインのコマンドに変換させる。インタラクティブモードでユーザに見られるインタラクティブコンテンツをマークアップ文書ドメインとＤＶＤ−Ｖｉｄｅｏドメインとに区分する時、ユーザがマークアップ文書ドメインからＤＶＤ−Ｖｉｄｅｏドメインにフォーカシングを移動しようとすれば、ＤＶＤ−Ｖｉｄｅｏで定義されたコマンドに変換させることにより、ＤＶＤ−Ｖｉｄｅｏドメイン内部でもフォーカシングが移動できるようになる。ドメインが異なるという意味は、フォーカシング移動の具現方式が相異なるということを意味する。すなわち、マークアップ文書ドメインで所定エレメントをフォーカシングするためには、ｔａｂｉｎｄｅｘ属性を支援しているエレメント、すなわち“Ａ”、“ＡＲＥＡ”、“ＢＵＴＴＯＮ”、“ＩＮＰＵＴ”、“ＯＢＪＥＣＴ”、“ＳＥＬＥＣＴ”、“ＴＥＸＴＡＲＥＡ”の属性定義のうちｔａｂｉｎｄｅｘに０と３２７６７との間の数を入れてｔａｂｂｉｎｇ  ｏｒｄｅｒを指定した後で、タブキー（方向キー）を使用してフォーカシングを移動させることができる。ｔａｂｉｎｄｅｘ属性によるｔａｂｂｉｎｇ  ｏｒｄｅｒ、すなわちナビゲーションは最も低い値を有するエレメントから最も高い値を有するエレメントの順序に進められる。ただし、ｔａｂｉｎｄｅｘ値は、必ずしも順次に割り当てられる必要もなく、いかなる特定の数字から始まる必要もない。同じｔａｂｉｎｄｅｘ値を有するエレメントは、該当文章でまず出てきた順序通りにナビゲーションされる。ｔａｂｉｎｄｅｘの属性が支援されないか、または支援されるがその値が「０」に設定されたエレメントは、その次にナビゲーションされる。このエレメントは、出てきた順序通りにナビゲーションされる。非活性化の（ｄｉｓａｂｌｅ）エレメントは、タビングオーダ（ｔａｂｂｉｎｇ  ｏｒｄｅｒ）に参加しない。タビングオーダによるナビゲーションの進行、エレメントの活性化いかん（ａｂｌｅ  ｏｒ  ｄｉｓａｂｌｅ）、キー順序は、プレゼンテーションエンジン５の具現によって変わることがあることは言うまでもない。
【００３０】
マークアップ文書ドメインで所定エレメントをフォーカシングする他の方法としては、ａｃｃｅｓｓｋｅｙ属性を支援しているエレメント、すなわち“Ａ”、“ＡＲＥＡ”、“ＢＵＴＴＯＮ”、“ＩＮＰＵＴ”、“ＬＡＢＥＬ”、“ＬＥＧＥＮＤ”、“ＴＥＸＴＡＲＥＡ”の属性定義のうちａｃｃｅｓｓｋｅｙにユーザ入力装置４００の所定キーを割り当てて該当キーを使用する方法がある。該当キーを使用すれば、所定エレメントに直接フォーカシングを与えるようになる。アクセスキーを表現する方式もまたプレゼンテーションエンジン５の具現によって変わることがある。製作者は、ラベルテキストやアクセスキーを適用できるエレメントには、アクセスキーを含めることが望ましい。プレゼンテーションエンジン５は、アクセスキーが設定されたエレメントは区分可能なようにアンダーラインを引くか、または他の色で表示することができる。
【００３１】
ユーザは、最上位フォーカシング階層に属するエレメントのうちフォーカシングされたいずれか１つのエレメントがフォーム様式やＤＶＤ−Ｖｉｄｅｏのような下位フォーカシング階層を含んでいるオブジェクトエレメントならば、一定の動作を実行させるために「エンターキー」のような実行キーを押す。実行キーを押せば、プレゼンテーションエンジン５は一定の動作を行うと同時に、フォーカシング移動命令を下位フォーカシング階層のドメインに符合するように変換する。
【００３２】
ＤＶＤ−Ｖｉｄｅｏドメインでは、ＤＶＤ−Ｖｉｄｅｏに定義されたメニューを選択するために、ハイライト情報を移動させる方式を使用する。従って、プレゼンテーションエンジン５は、ユーザがマークアップ文書ドメインからＤＶＤ−Ｖｉｄｅｏドメインにフォーカシングを移動させようとすれば、ＤＶＤ−Ｖｉｄｅｏに定義された方式によってフォーカシングが移動するように（ハイライト情報が移動するように）、ユーザ命令を対応コマンドに変換させる。また、ＤＶＤ−Ｖｉｄｅｏドメインからマークアップ文書ドメインにフォーカシングを移動させようとすれば、マークアップ文書ドメインに定義された方式によってフォーカシングが移動されうるように、ＤＶＤ−Ｖｉｄｅｏに定義された方式によってコマンドを変換させる動作を解除する。
【００３３】
ＡＶデコーダ４は、コンテンツ貯蔵媒体３００に記録されたＡＶデータ、本実施形態でのＤＶＤ−Ｖｉｄｅｏデータをデコーディングする。ブレンダ７は、デコーディングされたＤＶＤ−Ｖｉｄｅｏストリームと、解釈されたマークアップ文書またはデコーディングされたインタラクティブコンテンツとをブレンドして出力する。これにより、ＴＶ  １００の画面には、マークアップ画面及びＡＶ画面より構成されたインタラクティブ画面が表示される。
【００３４】
図４は、図３のプレゼンテーションエンジン５の機能ブロック図である。図４を参照するに、プレゼンテーションエンジン５は、受信部５１、フォーカシング管理部５２、フォーカシング階層情報管理部５３及び出力部５４を含む。受信部５１は、ユーザ入力装置４００から同じフォーカシング階層でのフォーカシングの移動や他のフォーカシング階層への移動に関する命令を受信する。フォーカシング階層情報管理部５３は、フォーカシング階層情報をフォーカシング管理部５２に提供する。すなわち、現在フォーカシングされている階層の情報、上位階層情報、及び下位階層情報を提供する。フォーカシング管理部５２は、現在フォーカシングされている階層でフォーカシング可能なエレメントを示し、ユーザ入力装置４００からのフォーカシングに関する命令を選択されたドメインに対応するＡＰＩコマンドに変換し、フォーカシング階層情報管理部５３からフォーカシング階層に関連した情報を提供されてフォーカシングを移動させる。例えば、選択されたオブジェクトがＤＶＤ−Ｖｉｄｅｏである場合（ドメインが異なる場合）、ＤＶＤ−Ｖｉｄｅｏに定義されたハイライト移動に関する情報を提供され、これを基にハイライトを移動させるＡＰＩコマンドに変換し、ＡＶデコーダ４に提供することによってハイライトが移動するようにする。また、フォーカシング管理部５２は、所定エレメントがフォーカスオンになった状態で実行命令が入力されれば（「エンターキー」を押せば）、所定エレメントに一定の動作を実行させる。動作実行の結果、所定インタラクティブコンテンツをユーザに見せなければならない場合、フォーカシング管理部５２は、対応インタラクティブコンテンツを出力部５４を介してブレンダ７に送る。出力部５４は、必要な場合に対応インタラクティブコンテンツをデコーディングするためのデコーダを備えられる。
【００３５】
図５は、本発明によるフォーカシング階層構造を示す。図５のフォーカシング階層構造によれば、ＡＶデータをインタラクティブモードで再生する場合、すなわちマークアップ文書を使用して再生する場合、最上位フォーカシング階層５０には、マークアップ文書のエレメントとしてフォーカシング可能なエレメントが存在し、このエレメントが参照するリソースのうち一部は、自体ナビゲーションの可能な場合もある。ＤＶＤ−Ｖｉｄｅｏのようにリソース自体がナビゲーション可能なデータ構造を有する場合もあり、ウィンドーズのメディアプレイヤー用ＡＶデータ（ａｓｆファイル、ｍｐｅｇファイルなど）のような特定アプリケーション（ウィンドーズのメディアプレイヤー）を介してナビゲーションが可能な場合もある。ナビゲーションが可能なリソースを参照するエレメントのうち、マークアップ文書のようなドメインのエレメントとしては、“ＴＥＸＴＡＲＥＡ”、“ＩＮＰＵＴ”などフォーム様式のエレメントがあり、ＤＶＤ−Ｖｉｄｅｏ、またはウィンドーズのメディアプレイヤー、リアルプレイヤーなどのＡＶコントローラのような他のドメインのリソースを参照できる“ＢＪＥＣＴ”エレメントもある。
【００３６】
参照番号５１は、最上位フォーカシング階層に属する“ＯＢＪＥＣＴ”エレメントであり、ＤＶＤ−Ｖｉｄｅｏを参照しており、最初の下位フォーカシング階層６０を含んでいる。参照番号５１のエレメントがフォーカスオンになった後、ユーザから下位フォーカシング階層への移動命令が入力されれば、リンクされた最初の下位フォーカシング階層６０にフォーカシングが移動する。参照番号６３は、下位フォーカシング階層６０に属するエレメントであり、二番目の下位フォーカシング階層７０を含む。
【００３７】
ＤＶＤ−Ｖｉｄｅｏをインタラクティブモードで再生する場合、ユーザはリモコンなどユーザ入力装置４００に設けられた方向キーを利用し、ＤＶＤ−Ｖｉｄｅｏオブジェクトエレメントにフォーカシングを移動させた後、エンターキーを押してリンクされた下位フォーカシング階層にフォーカシングを移動させることができる。フォーカシングが下位フォーカシング階層に移動すれば、再び方向キーを押して当該階層に定義されたところによってナビゲーションを行うことができる。このように、本発明のフォーカシング階層構造によれば、マークアップ文書とドメインが異なるオブジェクトエレメントの内部をナビゲーションできるようになる。
【００３８】
図６ないし図８は、本発明によるフォーカシング階層構造を基にフォーカシングを移動させてインタラクティブコンテンツをナビゲーションする過程を示す。図６ないし図８を参照するに、マークアップ文書は、最上位フォーカシング階層に属するエレメント１，２，３，４，５を有している。エレメント５には、少なくとも１つの下部フォーカシング階層がリンクされている。ユーザは、ユーザ入力装置４００に設けられたキーを使用し、最上位フォーカシング階層に属するエレメントをフォーカシングできる。また、階層移動キーを使用し、エレメント５にリンクされた下位フォーカシング階層のエレメントをフォーカシングし、再度ナビゲーションが可能である。
【００３９】
図６は、現在エレメント１にフォーカスオンされている。図７は、エレメント５がフォーカスオンされていることを示す。図８は、ユーザがエレメント５をフォーカシングした後、ユーザ入力装置４００の階層移動キー（エンターキー）を押してエレメント５にリンクされた下位フォーカシングエレメントがフォーカスオンされていることを示す。
【００４０】
フォーカシングに階層が導入されることにより、フォーカスオンされることを表示するにあたり、フォーカシング階層別に特定色を使用したり、または様子を異ならせるなど視覚的な違いをおいて、現在ナビゲーションされている階層についての情報をユーザに提供することができる。
【００４１】
図９は、マークアップ文書の“ＯＢＪＥＣＴ”エレメントが参照しているリソースがＤＶＤ−Ｖｉｄｅｏである場合、本発明によるフォーカシング階層構造によってＤＶＤ−Ｖｉｄｅｏをナビゲーションする過程を説明するための参考図である。
【００４２】
図９を参照するに、ＤＶＤ−Ｖｉｄｅｏのメニュー画面は、ハイライト情報、サブ−ピクチャ、及びビデオを使用して構成される。ハイライト情報には、ユーザから選択されたメニューアイテム（タイトル１またはタイトル２）をハイライトするためのカラーパレット及び実行されねばならない命令語が記述されている。ハイライトされたメニューアイテムは、サブ−ピクチャによりハイライトされていないメニューアイテムと異なる色で表示される。
【００４３】
本発明のフォーカシング階層構造によってＤＶＤ−Ｖｉｄｅｏをナビゲーションするためには、すなわちユーザからＤＶＤ−Ｖｉｄｅｏ内部へのフォーカシング移動命令が入力されれば、対応ハイライト情報に記述された命令語が実行されうるようにコマンドを変えなければならない。また、ＤＶＤ−Ｖｉｄｅｏからマークアップ文書ドメインへのフォーカシング移動命令が入力されれば、ＤＶＤ−Ｖｉｄｅｏへのコマンド変換を解除する。本実施形態で、コマンドの変換及び解除は、ＡＰＩにより行われる。
【００４４】
ユーザは、マークアップ文書の最上位フォーカシング階層に属する１オブジェクトをフォーカシングした後、フォーカシングされたオブジェクトに定義された動作を実行させるために、「エンターキー」のような実行キーを押す。実行キーが押されれば、一定の動作が実行されるると同時に、リンクされた下位フォーカシング階層にフォーカシングが移動する。ほとんどの場合、マークアップ文書では、下位に含まれているフォーカシング階層のドメインを把握できるが、必要によって下位フォーカシング階層にフォーカシングを移動させるために（オブジェクトに定義されたフォーカシング移動のためのナビゲーションコマンドに変換させるために）下位フォーカシング階層のドメインを知るためのＰｒｏｐｅｒｔｙが使われることもある。下位フォーカシング階層のドメインを知るためのＰｒｏｐｅｒｔｙの例は次の通りである。
【００４５】
インタラクティブＤＶＤ．ＤｏｍａｉｎＳｔａｔｅ
１）要約
現在フォーカスオンになったドメインの状態値を返還する。
２）返還値（ｒｅｔｕｒｎ  ｖａｌｕｅ）
ＥＣＭＡＳｃｒｉｐｔ  Ｎｕｍｂｅｒ  Ｓｉｇｎｅｄ  １Ｂｙｔｅ  ｉｎｔｅｇｅｒ
ｒａｎｇｉｎｇ  ｆｒｏｍ  ０−７  ｗｈｅｒｅ：
０：ＨＴＭＬ  Ｄｏｍａｉｎ
１：ＸＨＴＭＬ  Ｄｏｍａｉｎ
２：ＳＭＩＬ  Ｄｏｍａｉｎ
３：ＤＶＤ−Ｖｉｄｅｏ  Ｄｏｍａｉｎ
４：ＤＶＤ−Ａｕｄｉｏ  Ｄｏｍａｉｎ
５：Ａｎｏｔｈｅｒ  Ｖｉｄｅｏ  Ｄａｔａ  Ｄｏｍａｉｎ
６：Ａｎｏｔｈｅｒ  Ａｕｄｉｏ  Ｄａｔａ  Ｄｏｍａｉｎ
７：保留（Ｒｅｓｅｒｖｅｄ）
３）例
現在状態のドメインを知る。
ｄｏｍａｉｎ＝ＩｎｔｅｒａｃｔｉｖｅＤＶＤ．ＤｏｍａｉｎＳｔａｔｅ
このように、フォーカシング管理部５２、は０，１，２のようなマークアップ文書で下位フォーカシング階層のドメインを知らせるＰｒｏｐｅｒｔｙを実行させる。Ｐｒｏｐｅｒｔｙの返還値が同様に０，１，２のようなマークアップ文書ならば、ナビゲーションのためのフォーカシングは、マークアップ文書に定義されたところにより、すなわちｔａｂｉｎｄｅｘとａｃｃｅｓｓｋｅｙとにより動作させる。しかし、Ｐｒｏｐｅｒｔｙの返還値が３のＤＶＤ−Ｖｉｄｅｏであるならば、フォーカシング管理部５２は、ユーザからのフォーカシング移動命令をＤＶＤ−Ｖｉｄｅｏでハイライト情報を移動させるコマンドに変換する。ユーザから再び上位フォーカシング階層にフォーカシングを移動させるための命令が入力されれば（「リターンキー」を押せば）、フォーカシング管理部５２は、現在フォーカシング階層からのフォーカシング移動のためのコマンドに変換する過程を解除する。
【００４６】
図１０ないし図１３は、本発明によるフォーカシング階層構造によってフォーカシングが移動するインタラクティブ画面を示す。
【００４７】
図１０のインタラクティブ画面には、最上位フォーカシング階層に属するエレメントの１つのリンク１にフォーカスがオン（１０）されている。ユーザは、ユーザ入力装置４００の方向キーを押し、最上位フォーカシング階層に属するエレメント間にフォーカシングを移動させることができる。
【００４８】
図１１のインタラクティブ画面には、最上位フォーカシング階層に属してマークアップ文書とドメインが異なるリソースであるＤＶＤ−Ｖｉｄｅｏを参照している“ＯＢＪＥＣＴ”エレメント１１にフォーカスがオンされている。ユーザがユーザ入力装置４００の実行キー（「エンターキー」）を押せば、ドメインが異なるオブジェクトの内部を、すなわちＤＶＤ−Ｖｉｄｅｏをナビゲーションできるように下位フォーカシング階層にフォーカシングが移動する。
【００４９】
図１２は、図１１のようにフォーカスオンになった状態で実行キーを押した時に表示されるインタラクティブ画面を示す。プレゼンテーションエンジン５は、下位フォーカシング階層に移動することを知らせるためにＤＶＤ−Ｖｉｄｅｏが表示されるＡＶ画面の枠１２を異なる色で変更して示す。
【００５０】
図１３は、ＡＶ画面に表示されたメニュー画面を示す。メニュー画面には、選択可能なメニューアイテムが表示され、デフォルト値に設定された１メニューアイテム１３がハイライトされる。ユーザがユーザ入力装置４００に設けられたフォーカス移動キー（方向キー）を押せば、メニューアイテムが順々にハイライトされる。
【００５１】
前記のような構成を基に本発明の望ましい実施形態によるフォーカシング方法を説明すれば次の通りである。
【００５２】
図１４は、本発明の望ましい実施形態によるフォーカシング方法を説明するためのフローチャートである。図１４を参照するに、再生装置２００にＤＶＤ  ３００がロードされれば、ＴＶ  １００には開始文書と指定されたマークアップ文書によりインタラクティブモード及びビデオモードのうちいずれか一つを選択できる選択画面が表示される。ユーザがインタラクティブモードを選択すれば、デフォルト値に設定されたＡＶ画面と対応マークアップ画面とが含まれたインタラクティブ画面がディスプレイされる。ユーザが方向キーを押してフォーカスを移動させれば、最上位フォーカシング階層に属するエレメントのうちいずれか一つにフォーカシングが移動する（１４０１段階）。下位フォーカシング階層への移動命令が入力されていなければ（１４０２段階）、フォーカシングはマークアップ文書の最上位フォーカシング階層内でだけ移動する。すなわち、ユーザは、方向キーを使用してマークアップ文書エレメントをナビゲーションできる（１４０３段階）。
【００５３】
下位フォーカシング階層への移動命令が入力された場合（１４０２段階）、フォーカシングを受けたエレメントが参照しているリソースのドメインを確認する（１４０４段階）。確認結果、フォーカシングされたエレメントが参照しているリソースがマークアップ文書ドメインのエレメントではない他のドメインのリソースならば（例えば、ＤＶＤ−Ｖｉｄｅｏ）（１４０５段階）、プレゼンテーションエンジン５は対応エレメントの内部をナビゲーションできるようにユーザのフォーカシング移動命令を対応ドメインのコマンドに変換させることによって、該当エレメントに定義されたことによりナビゲーションを実行させる（１４０６段階）。下位フォーカシング階層に移動した状態で、方向キーを押せば下位フォーカシング階層内でだけフォーカシングが移動して上位フォーカシング階層に移動は行われない（すなわち、ＤＶＤ−Ｖｉｄｅｏ内部でだけ動作する）。上位フォーカシング階層にフォーカシングを移動させようとする場合には、リターンキーを押してフォーカシング階層を上向き移動させ、二番目の下位フォーカシング階層にフォーカシングを移動させようとする場合には、リンクされた下位フォーカシング階層が存在するエレメントにフォーカスをオンさせてエンターキーを押す。
【００５４】
下位フォーカシング階層への移動命令が入力された場合（１４０２段階）、フォーカシングを受けたエレメントのドメインを確認し（１４０４段階）、フォーカシングエレメントがマークアップ文書ドメインのエレメントならば（例えば、フォーム形態のエレメント）プレゼンテーションエンジン５はマークアップ文書ドメインに定義されたことによってフォーカシングを移動させる（すなわち、コマンドを変換させない）（１４０７段階）。この時、方向キーを押せば、下位フォーカシング階層内でだけフォーカシングが移動し、上位フォーカシング階層には移動しない（すなわち、フォーム形態のオブジェクトエレメント内部でだけ動作する）。ここでも同様に、上位フォーカシング階層にフォーカシングを移動させようとする場合には、リターンキーを押してフォーカシング階層を上向き移動させ、二番目の下位フォーカシング階層にフォーカシングを移動させようとする場合には、リンクされた下位フォーカシング階層が存在するエレメントにフォーカスをオンさせてエンターキーを押す。
【００５５】
このようなシステムに含まれたハードウェアは、メモリ、プロセッサ、アプリケーション専用インテグレイティッド回路（ＡＳＩＣｓ：Ａｐｐｌｉｃａｔｉｏｎ  Ｓｐｅｃｉｆｉｃ  Ｉｎｔｅｇｒａｔｅｄ  Ｃｉｒｃｕｉｔｓ）を含むことができる。このようなメモリは、一つまたはあらゆる方法を具現する一連の命令語（すなわち、ソフトウェア）が保存された機械読取り可能な媒体を含むことができる。ソフトウェアは、完全にまたは少なくとも部分的にこのようなメモリに、またはプロセッサにまたはＡＳＩＣｓに常住できる。説明の目的で、「機械読取り可能な媒体」という用語は、コンピュータのような機械により読取り可能な形で情報を提供する（保存したり伝送する）いかなるメカニズムも含むと解釈できる。例えば、機械読取り可能な媒体は、読取り専用メモリ（ＲＯＭ）、ランダムアクセスメモリ（ＲＡＭ）、磁気ディスク貯蔵媒体、光貯蔵媒体、フラッシュメモリディバイス、電気的、光学的、音響学的、または他の形態の電波信号（例えば、キャリアウェーブ、赤外線信号、デジタル信号）を含む。
【００５６】
前述の通り、本発明によれば、インタラクティブモードでマークアップ画面に埋め込まれた他のドメインのオブジェクトをフォーカシング移動方式でナビゲーションできる。すなわち、制限されたユーザ入力装置によりインタラクティブモードでマークアップ画面だけではなく、マークアップ画面に埋め込まれた異なるドメインのオブジェクト内部エレメントについてもフォーカシングを移動させてナビゲーションが可能である。
【産業上の利用可能性】
【００５７】
これまで本発明について、その望ましい実施形態を中心に説明した。本発明が属する技術分野の当業者は、本発明が特許請求の範囲に定義された事項及びこれに均等なものの範囲内で変形された形態に具現されうることを理解できるであろう。
【図面の簡単な説明】
【００５８】
【図１Ａ】インタラクティブモードでディスプレイされる画面の概略図である。
【図１Ｂ】インタラクティブモードでディスプレイされる画面の概略図である。
【図２】本発明の望ましい実施例による再生システムの概要図である。
【図３】本発明の望ましい実施例による再生装置２００のブロック図である。
【図４】図３のプレゼンテーションエンジン５の機能ブロック図である。
【図５】本発明によるフォーカシング階層構造の図である。
【図６】本発明によるフォーカシング階層構造を基にフォーカシングが移動するインタラクティブ画面の概略図である。
【図７】本発明によるフォーカシング階層構造を基にフォーカシングが移動するインタラクティブ画面の概略図である。
【図８】本発明によるフォーカシング階層構造を基にフォーカシングが移動するインタラクティブ画面の概略図である。
【図９】オブジェクトエレメントがＤＶＤ−Ｖｉｄｅｏである場合、本発明によるフォーカシング階層構造によってＤＶＤ−Ｖｉｄｅｏをナビゲーションする過程を説明するための参考図である。
【図１０】本発明によるフォーカシング階層構造によってフォーカシングが移動するインタラクティブ画面の概略図である。
【図１１】本発明によるフォーカシング階層構造によってフォーカシングが移動するインタラクティブ画面の概略図である。
【図１２】本発明によるフォーカシング階層構造によってフォーカシングが移動するインタラクティブ画面の概略図である。
【図１３】ＡＶ画面に表示されたメニュー画面の概略図である。
【図１４】本発明の望ましい実施例によるフォーカシング方法を説明するためのフローチャートである。
【図１Ａ】
2005531975.tif 000003
【図１Ｂ】
2005531975.tif 000004
【図２】
2005531975.tif 000005
【図３】
2005531975.tif 000006
【図４】
2005531975.tif 000007
【図５】
2005531975.tif 000008
【図６】
2005531975.tif 000009
【図７】
2005531975.tif 000010
【図８】
2005531975.tif 000011
【図９】
2005531975.tif 000012
【図１０】
2005531975.tif 000013
【図１１】
2005531975.tif 000014
【図１２】
2005531975.tif 000015
【図１３】
2005531975.tif 000016
【図１４】
2005531975.tif 000017
【国際調査報告】
2005531975.tif 000018